(57)【要約】【課題】個体差を有している被検体ごとに最適な撮影をすることができる被検体固定具を提供する。【解決手段】本発明の被検体固定具は、被検体の足部に固定される固定部材４ａと放射線撮影装置の天板に面する基板２ａとがトルクヒンジ３により一体化されている。このような構成とすることにより、術者は被検体の足部の傾斜角度を自由に変更することができるとともに、被検体の足部の傾斜を所定の角度にした状態を維持することができる。したがって、本発明の被検体固定具によれば、被検体ごとに最適な足部の傾斜角度を維持した状態で放射線撮影を実行することができる。【選択図】図１
2016059565.tif 000002
【特許請求の範囲】
【請求項１】
放射線撮影装置の天板に被検体とともに載置される被検体固定具であって、
前記天板に面する基板と、
前記天板に載置された被検体の足部を固定する固定部材と、
前記基板と前記固定部材とを連結するヒンジとを有し、
前記ヒンジは、その回転軸が前記基板に平行であるとともに、前記基板に対する前記固定部材の傾斜角度を維持するトルクヒンジであることを特徴とする被検体固定具。
【請求項２】
請求項１に記載の被検体固定具において、
前記基板に対する前記固定部材の傾斜角度を表示する角度計を備えていることを特徴とする被検体固定具。
【請求項３】
請求項１または請求項２に記載の被検体固定具において、
被検体の足部を前記固定部材に固定する収縮性の固定ベルトを備えていることを特徴とする被検体固定具。
【請求項４】
請求項１ないし請求項３のいずれかに記載の被検体固定具において、
前記固定部材における被検体の足部側の面には、クッション性を有する部材が設けられていることを特徴とする被検体固定具。
【請求項５】
請求項１ないし請求項４のいずれかに記載の被検体固定具において、
前記ヒンジが前記固定部材を前記基板に対して平行となるまで傾斜されることができることを特徴とする被検体固定具。
【請求項６】
請求項１ないし請求項５のいずれかに記載の被検体固定具において、
前記固定部材に持ち手が設けられていることを特徴とする被検体固定具。
【請求項７】
請求項１ないし請求項６のいずれかに記載の被検体固定具において、
前記天板に当接して摩擦を発生させるストッパが前記基板に設けられていることを特徴とする被検体固定具。
【請求項８】
請求項１ないし請求項７のいずれかに記載の被検体固定具において、
前記ヒンジが前記基板の端部を避けて設けられているとともに、前記基板には被検体の足部を支持する部分が設けられていることを特徴とする被検体固定具。
【請求項９】
請求項８に記載の被検体固定具において、
前記基板における足部を支持する部分には、クッション性を有する部材が設けられていることを特徴とする被検体固定具。
【発明の詳細な説明】
【技術分野】
【０００１】
本発明は、放射線撮影の対象となる被検体の姿勢を維持する被検体固定具に係り、特に被検体の脚部に装着される被検体固定具に関する。
【背景技術】
【０００２】
医療機関には放射線を照射して被検体のイメージングを行う放射線撮影装置が配備されている。このような放射線撮影装置の中には、被検体の脚部の撮影を行うことができるものがある（例えば、特許文献１参照）。
【０００３】
被検体の足は、かかとを中心に足部を回転させることができる造りになっている。したがって、例えば被検体の股関節を撮影しようとする場合、被検体の足の回転角度によっては目的の撮影が行えないことがある。
【０００４】
そこで、従来から被検体の脚部を固定する器具が開発されている。このような固定具は、図１１に示すように、３つの板を組み合わせたような形状をしており、被検体の両足部を固定するような構成となっている。この固定具により被検体の足部を固定すれば、被検体の足はもはや回転させることができなくなり、術者は目的の撮影を的確に行うことができるようになる。ちなみにこの器具は、折り畳むことができない。
【先行技術文献】
【特許文献】
【０００５】
【特許文献１】特開２０１２−２５４１９１号公報
【発明の概要】
【発明が解決しようとする課題】
【０００６】
しかしながら、従来の固定具には次のような問題点がある。
すなわち、従来の固定具は、足の固定の様式を調節することができない。
【０００７】
従来構成の固定具は、被検体の足部を所定の傾斜角度に保つように固定するというものである。被検体には、個体差がある。したがって、股関節の撮影に最適な足部の傾斜角度は、被検体の間で一定ではない。従来構成の固定具は、この個体差を無視して構成されているので、固定具で足部を固定したとしても最適な股関節の撮影ができるという保証がない。
【０００８】
本発明は、この様な事情に鑑みてなされたものであって、その目的は放射線撮影において個体差を有している被検体ごとに最適な撮影をすることができる被検体固定具を提供することにある。
【課題を解決するための手段】
【０００９】
本発明は上述の課題を解決するために次のような構成をとる。
すなわち、本発明に係る被検体固定具は、放射線撮影装置の天板に被検体とともに載置される被検体固定具であって、天板に面する基板と、天板に載置された被検体の足部を固定する固定部材と、基板と固定部材とを連結するヒンジとを有し、ヒンジは、その回転軸が基板に平行であるとともに、基板に対する固定部材の傾斜角度を維持するトルクヒンジであることを特徴とするものである。
【００１０】
［作用・効果］本発明の被検体固定具によれば、個体差を有している被検体ごとに最適な撮影をすることができる。すなわち、本発明の被検体固定具は、被検体の足部に固定される固定部材と放射線撮影装置の天板に面する基板とがトルクヒンジにより一体化されている。このような構成とすることにより、術者は被検体の足部の傾斜角度を自由に変更することができるとともに、被検体の足部の傾斜を所定の角度にした状態を維持することができる。したがって、本発明の被検体固定具によれば、被検体ごとに最適な足部の傾斜角度を維持した状態で放射線撮影を実行することができる。
【００１１】
また、上述の被検体固定具において、基板に対する固定部材の傾斜角度を表示する角度計を備えていればより望ましい。
【００１２】
［作用・効果］上述の被検体固定具は、本発明のより望ましい構成を表している。すなわち、本発明に係る被検体固定具には、固定部材の傾斜角度を示す角度計が設けられている。この角度計で固定部材の傾斜角度を読み取ることにより、術者は、後日、固定部材を同じ傾斜角度にして骨塩定量の再検査をすることができる。放射線撮影装置を用いた検査の中には同じ被検体に対して繰り返し実行し、結果を比較するものがある。本発明の被検体固定具によれば、被検体の足部を所定の傾斜角度に傾斜させた状態にできるので、同じ条件で放射線撮影を繰り返すことができ、結果の比較を正確に行うことができる。
【００１３】
また、上述の被検体固定具において、被検体の足部を固定部材に固定する収縮性の固定ベルトを備えていればより望ましい。
【００１４】
［作用・効果］上述の被検体固定具は、本発明のより望ましい構成を表している。被検体の足部を固定部材に固定する固定ベルトが収縮性となっていれば、被検体の足部を確実に固定できるばかりでなく、固定ベルトの押さえつけにより過度な圧力が足部にかかることがない。したがって、本発明の被検体固定具を使用しても被検体の足部が痛くならない。
【００１５】
また、上述の被検体固定具において、固定部材における被検体の足部側の面には、クッション性を有する部材が設けられていればより望ましい。
【００１６】
［作用・効果］上述の被検体固定具は、本発明のより望ましい構成を表している。固定部材における被検体の足部側の面には、クッション性を有する部材が設けられていれば被検体の足部が硬い固定部材に直接当たって足部に痛みを生じさせることがない。
【００１７】
また、上述の被検体固定具において、ヒンジが固定部材を基板に対して平行となるまで傾斜されることができればより望ましい。
【００１８】
［作用・効果］上述の被検体固定具は、本発明のより望ましい構成を表している。固定部材を基板に対して平行となるまで傾斜されることができれば、被検体固定具をコンパクトにして収納することができる。
【００１９】
また、上述の被検体固定具において、固定部材に持ち手が設けられていればより望ましい。
【００２０】
［作用・効果］上述の被検体固定具は、本発明のより望ましい構成を表している。固定部材に持ち手が設けられていれば、より固定部材を回転させやすくなる。また、この持ち手は、被検体固定具を搬送するときにも利用できる。
【００２１】
また、上述の被検体固定具において、天板に当接して摩擦を発生させるストッパが基板に設けられていればより望ましい。
【００２２】
［作用・効果］上述の被検体固定具は、本発明のより望ましい構成を表している。天板に当接して摩擦を発生させるストッパが基板に設けられていれば、被検体固定具が検査中に天板上ですり動いてしまうことを防ぐことができ、より確実に目的の撮影を行うことができるようになる。
【００２３】
また、上述の被検体固定具において、ヒンジが基板の端部を避けて設けられているとともに、基板には被検体の足部を支持する部分が設けられていればより望ましい。
【００２４】
［作用・効果］上述の被検体固定具は、本発明のより望ましい構成を表している。すなわち、本発明の被検体固定具のヒンジは基板の端部を避けて設けられている。足部を固定部材に固定させたとき、基板は被検体の足部側に張り出す。しかも、この張り出した部分は足部の下敷きとなり足部の下側を支持する。したがって、天板に置かれた被検体固定具は、足部の重みにより放射線撮影装置の天板に押し付けられる。これにより被検体固定具は、天板に対してしっかりと載置され、天板に対して被検体固定具が移動してしまうことが防止される。
【００２５】
また、上述の被検体固定具において、基板における足部を支持する部分には、クッション性を有する部材が設けられていればより望ましい。
【００２６】
［作用・効果］上述の被検体固定具は、本発明のより望ましい構成を表している。基板における被検体を支持する部分には、クッション性を有する部材が設けられていれば被検体の足部が硬い基板に直接当たって足部に痛みを生じさせることがない。
【発明の効果】
【００２７】
本発明の被検体固定具によれば、個体差を有している被検体ごとに最適な撮影をすることができる。すなわち、本発明の被検体固定具は、被検体の足部に固定される固定部材と放射線撮影装置の天板に面する基板とがトルクヒンジにより一体化されている。このような構成とすることにより、術者は被検体の足部の傾斜角度を自由に変更することができるとともに、被検体の足部の傾斜を所定の角度にした状態を維持することができる。したがって、本発明の被検体固定具によれば、被検体ごとに最適な足部の傾斜角度を維持した状態で放射線撮影を実行することができる。
【図面の簡単な説明】
【００２８】
【図１】実施例１に係る被検体固定具の全体構成を説明する斜視図である。
【図２】実施例１に係る被検体固定具の全体構成を説明する斜視図である。
【図３】実施例１に係る角度計を説明する斜視図である。
【図４】実施例１に係る角度計を説明する斜視図である。
【図５】実施例１に係るストッパを説明する斜視図である。
【図６】実施例１に係るロック機構を説明する斜視図である。
【図７】実施例１に係るロック機構を説明する斜視図である。
【図８】実施例１に係る固定ベルトを説明する斜視図である。
【図９】実施例１に係る被検体固定具が使用される様子を説明する機能ブロック図である。
【図１０】実施例１に係る被検体固定具が使用される様子を説明する概念図である。
【図１１】従来構成の被検体固定具を説明する概念図である。
【実施例１】
【００２９】
本発明に係る被検体固定具は、放射線撮影装置の天板に被検体とともに載置される被検体固定具である。
【００３０】
図１は、本発明の被検体固定具１の概要を説明する斜視図である。被検体固定具１は、Ｘ線撮影装置の天板に面する基板２ａと板状の固定部材４ａとが２つのヒンジ３で結合された構成となっている。基板２ａと固定部材４ａとの間にヒンジ３が介在することにより固定部材４ａは、基板２ａに対し回転移動することができる。
【００３１】
基板２ａは、矩形型をした板状の部材であり、厚さ方向がｚ方向に一致し、長手方向がｘ方向に一致する。そして、短手方向はｙ方向に一致する。ｚ方向は、鉛直方向に相当する。ｘ方向、ｙ方向、ｚ方向は互いに直交する。固定部材４ａは、天板に載置された被検体の足部（足首からつま先までの部分）に固定される板である。固定部材４ａも矩形をした板状の部材であり、ｙ方向に伸びた一辺がヒンジ３に取り付けられた構成となっている。固定部材４ａの一辺は、後述するヒンジ３の回転軸と平行となっている。このヒンジ３は、基板２ａと固定部材４ａとを連結する部材である。
【００３２】
被検体固定具１が有する２つのヒンジ３はｙ方向に配列されている。ヒンジ３は、ｙ方向に伸びた構成となっており、ヒンジ３は、基板２ａに固定される一端と基板２ａに対して回転可能となっている他端とを有している。つまり、ヒンジ３は、基板２ａの一面が取り付けられる翼片と固定部材４ａの一面が取り付けられる翼片と、２つの翼片を仲介するｙ方向に伸びた中心部材とを有している。ヒンジ３は、固定部材４ａが取り付けられる翼片が基板２ａに対し回転するように構成されている。この回転移動の回転軸は、ｙ方向に伸びた軸であり、中心部材を通過する位置にある。ヒンジ３の一端の翼片に対して他端の翼片を回転させるときの回転軸は、基板２ａと平行となっている。２つのヒンジ３は回転軸を共有している。
【００３３】
そして、上述したヒンジ３の回転軸と平行となっている固定部材４ａの一辺は、ヒンジ３の他端の翼片に固定されている。
【００３４】
ヒンジ３は、トルクヒンジとなっている。したがって、固定部材４ａをある角度まで傾斜させると、ヒンジ３は、重力に抗いこの傾斜角度を維持する。したがって、ヒンジ３は、操作者が固定部材４ａに力を加えるまでは固定部材４ａの傾斜を変えない構成となっている。このように、本発明のヒンジ３は、基板２ａに対する固定部材４ａの傾斜角度を維持する構成となっている。
【００３５】
図１に示すように被検体固定具のヒンジ３は基板２ａの端部を避けて設けられている。したがって、足部を固定部材４ａに固定させると、基板２ａは被検体の足部側に張り出す。この張り出した部分は、足部の下敷きとなり足部の下側を支持する（図８参照）。
【００３６】
固定部材４ａにおけるヒンジ３に取り付けられた一辺とは反対側の他辺には、操作者の持ち手５が取り付けられている。操作者は、この持ち手５を手掛かりに固定部材４ａの回転動作を行うことができる。
【００３７】
図２は、図１の状態の固定部材４ａを基板２ａに対して回転させていったときの状態を表しており、特に図２の右側は、基板２ａに対して固定部材４ａが平行となる位置まで固定部材４ａが回転された時の状態を表している。このときのヒンジ３は、折り込まれて２つの翼片が基板２ａおよび固定部材４ａに挟まれる位置まで移動する。すると、固定部材４ａにおけるヒンジ３が設けられている一辺とは反対側の他辺が基板２ａからはみ出す。このように、被検体固定具１のヒンジ３は、固定部材４ａを基板２ａに対して平行となるまで傾斜されることができる。また、図２においては、持ち手５が省略されている。
【００３８】
ヒンジ３の翼片の各々には突起が設けられており、基板２ａに対して固定部材４ａが平行となる位置まで固定部材４ａを回転させると、突起同士が当接する。これにより固定部材４ａは、これ以上回転することができなくなる。
【００３９】
基板２ａおよび固定部材４ａには、それぞれ矩形をしたクッション板２ｂ，４ｂが設けられている。クッション板４ｂは、固定部材４ａにおいてヒンジ３が設けられている面とは反対側の面を覆うように設けられており、クッション板２ｂは、図２右側のように基板２ａに対して固定部材４ａが平行となる位置まで固定部材４ａが回転された時、固定部材４ａにより隠れて見えなくなる部分を避けて基板２ａの鉛直上向きに面した上面を覆うように設けられている。このクッション板２ｂが設けられる部分は、基板２ａにおける足部の下敷きとなり足部の下側を支持する部分に一致している。クッション板２ｂ，４ｂは、クッション性を有する部材で構成されている。クッション板２ｂ，４ｂの一部を指で押すと、押した部分がくぼむように変形するとともに指に押し返そうとする反発力を付与する。クッション板２ｂ，４ｂから指を離すと、押していた部分のくぼみが消え、指で押す前の状態に戻る。基板２ａ，固定部材４ａにおけるクッション板２ｂ，４ｂが設けられている面は、後述する被検体の足部側の面となっている。
【００４０】
以上の構成は、本発明に係る固定具の概要を説明したものである。本発明の被検体固定具１は、次のような付属品を有している。
【００４１】
＜付属品１：角度計＞
図１では図示を省略されているが、本発明の被検体固定具１は、基板２ａに対する固定部材４ａの傾斜角度を表示する角度計を有している。角度計は、図３に示すようにヒンジ３をｙ方向から覆うように設けられた扇形の分度器２ｃと分度器２ｃ上の角度を指し示す目印４ｃを有している。分度器２ｃは、基板２ａにおけるｙ方向の両端部に設けられており、基板２ａと一体化されている。目印４ｃは、固定部材４ａにおけるヒンジ３の翼片が設けられる面のｙ方向の両端部に設けられている。従って、被検体固定具１は、図３に示す角度計をｙ方向の両端部において２つ有している。
【００４２】
固定部材４ａを基板２ａに対して傾斜させていくと、目印４ｃが固定部材４ａに追従して移動していくので、目印４ｃと分度器２ｃとの位置関係が変わっていく。目印４ｃに付された矢印が指し示す分度器２ｃ上の角度は、基板２ａに対する固定部材４ａの傾斜角度に一致している。
【００４３】
図４は、固定部材４ａを基板２ａと平行になる位置まで傾斜させた状態を示している。分度器２ｃのｙ方向における離間距離は、固定部材４ａおよびクッション板４ｂのｙ方向の幅よりも広く設定されている。従って、固定部材４ａを回転させても固定部材４ａおよびクッション板４ｂが分度器２ｃに干渉することがない。なお、このときの目印４ｃは、固定部材４ａと基板２ａとの間のクリアランスに収まっており、基板２ａに干渉していない。
【００４４】
＜付属品２：ストッパ＞
図１では図示を省略されているが、本発明の被検体固定具１は、固定具全体が移動するのを防止するストッパ２ｄが設けられている。図５に示すようにストッパ２ｄは、ｘ方向に伸びたヒンジで構成され、２つある翼片のうち一方が基板２ａのｙ方向の両端部に備え付けられている。ヒンジのもう一方の翼片は、基板２ａに対してｘ方向に伸びた回転軸まわりに回転することができ、ゴム製の滑り止め６が備え付けられている。滑り止め６は、基板２ａに対し回転する翼片の片面に備え付けられている。翼片を図５のように鉛直上向きに向いた状態にすると、翼片には基板２ａに向いている面と、その反対側の面とができる。滑り止め６が備え付けられる片面とは、これら２面のうちの「反対側の面」のほうである。
【００４５】
図５のような状態のストッパ２ｄの可動するほうの翼片を基板２ａから離れる方向に回転させると、ストッパ２ｄを構成するヒンジは広がり、滑り止め６が被検体固定具１を置いている平面に当接する。滑り止め６はゴム製である。したがって、この状態で基板２ａを平面に対してすり動かそうとすると、滑り止め６の強い抵抗を受けることになる。Ｘ線撮影装置の天板に被検体固定具１を載置したとすると、被検体固定具１は、わずかな力が加わっただけで天板上をすり動いてしまう。図５のような滑り止め６を設ければ、被検体固定具１が天板上で滑りにくくなる。このように基板２ａには、天板に当接して摩擦を発生させるストッパ２ｄが設けられている。
【００４６】
なお、ストッパ２ｄの可動するほうの翼片を基板２ａに近づく方向に回転させると、ストッパ２ｄを構成するヒンジは折り畳まれる。この状態で固定部材４ａを基板２ａと平行になる位置まで傾斜させると、ストッパ２ｄは、固定部材４ａと基板２ａとの間のクリアランスに収まり、滑り止め６が固定部材４ａに当接する。ストッパ２ｄは、固定部材４ａの目印４ｃと干渉しないように設けられている。つまり、固定部材４ａを基板２ａに平行にさせると、目印４ｃは、ストッパ２ｄに対してｘ方向に離間した位置にくる。
【００４７】
＜付属品３：傾斜固定ロック機構＞
図１では図示を省略されているが、本発明の被検体固定具１は、固定部材４ａが基板２ａに対して回転するのを防ぐロック機構が設けられている。ロック機構は、図６に示すように基板２ａ上の突起９と、突起９にかみ合う固定部材４ａ上のコマ７ｂとを有している。このコマ７ｂは、固定部材４ａと平行となっており、突起９へのあたり面を構成している。突起９は、固定部材４ａを基板２ａに平行にさせると隠れる基板２ａの上面に設けられている基板２ａからｚ方向に突出した部材である。一方、コマ７ｂは、固定部材４ａにおけるヒンジ３の翼片が備え付けられる面に設けられており、実際は固定部材４ａの長手方向（固定部材４ａを基板２ａに平行にさせたときのｘ方向）に伸びたアームの一端である。このアームの他端は、操作者が操作するレバー７ａとなっている。アーム自体は固定部材４ａの長手方向に伸びた案内に収納されている。アームは、レバー７ａにより固定部材４ａの長手方向に移動させることができる。レバー７ａは、案内の内部に設けられたバネの力によりコマ７ｂがヒンジ３に近づこうとする力が付加されている。
【００４８】
このようなロック機構を有する被検体固定具１を図６の状態から固定部材４ａが基板２ａに近づくように回転させてみる。すると、図７の上側に示すように、固定部材４ａがある傾斜となった時点からコマ７ｂのあたり面が突起９におけるヒンジ３に近い側面に当たることでコマ７ｂが突起９に接触する。こうなってしまうと、固定部材４ａは、これ以上基板２ａに近づくことができず、これ以上の回転が禁止される。この回転の禁止が傾斜固定ロック機構の有する機能の１つである。
【００４９】
このような固定部材４ａの回転に制限を加えるような構成とすれば、より安全な被検体固定具１が提供できる。図８に示すように被検体の足部を固定した状態で固定部材４ａを基板２ａに平行となる位置まで回転させようとすると、被検体Ｍの足部に無理な力がかかってしまう。本発明に示すロック機構が設けられていれば、固定部材４ａの回転が禁止されるので被検体Ｍの足部に無理な力がかかることがない。
【００５０】
今度は、術者が被検体固定具１を収納しようとしたとする。図６に示すように固定部材４ａが基板２ａに対して傾斜した状態の被検体固定具１は、かさばる形状であり、収納するときに大きなスペースを要求してしまう。本発明の被検体固定具１はこのような事態に備えて、固定部材４ａを基板２ａに平行な位置まで回転させることができる。こうなってしまえば、被検体固定具１は、一枚の板のような形状となるので収納に場所をとらない。この操作は、被検体の足部が被検体固定具１から外された状態の時に行われる。
【００５１】
術者が被検体固定具１を収納しよとするときは、図７の中央に示すようにレバー７ａをバネの力に抗い押し上げるように操作する。するとそれに伴いコマ７ｂがヒンジ３から遠ざかるように移動する。これに従いコマ７ｂのあたり面が突起９から離れて、コマ７ｂの突起９に対する接触が解除される。すると、これ以上は無理だった固定部材４ａの回転が可能となり固定部材４ａは基板２ａに平行となる位置まで回転される。この状態のままレバー７ａの押上げを中止すると、コマ７ｂは、図７下側に示すように突起９に押し付けられて次第にヒンジ３から離れる方向に移動し、突起９に対し圧力を付与した状態で停止する。コマ７ｂの圧力は案内の内部に設けられたバネに由来するものである。これにより、被検体固定具１の固定部材４ａはロックがかかった状態となる。このロック機能が傾斜固定ロック機構の有するもう１つの機能である。
【００５２】
いったん、固定部材４ａが基板２ａと平行になると固定部材４ａは、基板２ａに対して回転しにくくなる。コマ７ｂの突起９に対する圧力が固定部材４ａと基板２ａとを一体化させようとするからである。この状態で操作者がレバー７ａをヒンジ３から離れる方向に引き上げると、コマ７ｂの突起９に対する圧力が解消し、固定部材４ａが基板２ａに対して回転しやすくなる。
【００５３】
＜付属品４：固定ベルト＞
図１では図示を省略されているが、本発明の被検体固定具１は、被検体の足部と固定部材４ａとを一体化させることにより被検体の足部を固定部材４ａに固定する固定ベルトを有している。図８は、被検体の足部が固定ベルト１０を介して固定部材４ａと一体化している様子を示している。固定ベルト１０は、収縮性を有する材料で構成されるリング状の部材で構成される。この固定ベルト１０は、被検体の足部と固定部材４ａとを１つにまとめて囲むことになる。固定ベルト１０は、収縮性を有しているから被検体の足部と固定部材４ａとを囲んだまま縮まろうとする。すると、被検体の足部と固定部材４ａとを一体化させようとする力が両者にかかる。こうして被検体の足部は固定部材４ａに固定される。この状態で固定部材４ａを基板２ａに対し傾斜させると、被検体の足部は、これに追従して傾斜することになる。この固定ベルト１０を被検体固定具１本体から取り外すことで被検体の足部を固定部材４ａから分離することもできる。
【００５４】
このとき、被検体の足部における親指がある側の側面部は、クッション性を有するクッション板４ｂに当接し、固い固定部材４ａには直接には当接しない。また、被検体の足部におけるかかとはクッション性を有するクッション板２ｂに当接し、固い基板２ａには直接には当接しない。
【００５５】
＜被検体固定具の使用＞
続いて、本発明に係る被検体固定具が使用される様子について説明する。
【００５６】
まず、実施例１に係るＸ線撮影装置１１の構成について説明する。Ｘ線撮影装置１１は、図９に示すように仰臥位の被検体Ｍを載置する天板１２と、天板１２の上側（一面側）に設けられたＸ線を照射するＸ線管１３と、天板１２の下側（他面側）に設けられたＸ線を検出するＦＰＤ１４とを備えている。ＦＰＤ１４は、フラットパネルディテクタの略であり、被検体Ｍの体軸方向Ａまたは体側方向Ｓのいずれかに沿った４つの辺を有する矩形となっている。また、Ｘ線管１３は、四角錐形状のＸ線をＦＰＤ１４に向けて照射する。ＦＰＤ１４は、Ｘ線を全面で受光することになる。支柱１５は、天板１２の下側（他面側）から天板１２の上側（一面側）に向けて伸びており、Ｘ線管１３を支持している。Ｘ線管１３は、本発明の放射線源に相当する。本発明に係るＸ線撮影装置１１は、条件の違う２回の撮影を行うことでサブトラクション画像ｓを撮影する構成となっている。
【００５７】
Ｘ線管制御部１６は、所定の管電流、管電圧、パルス幅でＸ線管１３を制御する目的で設けられている。Ｘ線管制御部１６の制御によりＸ線がＸ線管１３から発せられると、Ｘ線は、被検体Ｍを透過してＦＰＤ１４の検出面１４ａに入射する。ＦＰＤ１４は、Ｘ線の検出結果を示す検出データを出力する。Ｘ線管制御部１６は、高電圧の管電圧でＸ線を照射させる高電圧モードと低電圧の管電圧でＸ線を照射させる低電圧モードの２つのモードを使い分けることによりサブトラクション撮影を行う。このＸ線管制御部１６は、２つのモードを使い分けて高電圧に係るＸ線と低電圧に係るＸ線とを照射するようにＸ線管１３を制御する。
【００５８】
Ｘ線管１３から照射されたＸ線はＸ線管１３に付属するフィルタ２５を透過したあと、Ｘ線管１３に付属のコリメータ１３ａによりコリメートされ、被検体Ｍに到達する。フィルタ２５には高電圧モード用と低電圧モード用の２種類が用意されており、Ｘ線管制御部１６の制御によりその時々のＸ線照射に適切なフィルタが選択される構成となっている。
【００５９】
画像生成部２１は、ＦＰＤ１４が出力する検出信号に基づいて高圧条件の撮影に係る画像と低圧条件の撮影に係る画像とを生成して、これらの差分を取得しサブトラクション画像ｓを生成する。
【００６０】
画像生成部２１が生成したサブトラクション画像ｓは、骨塩定量部２２に送出される。骨塩定量部２２は、サブトラクション画像ｓに写り込んだ骨の像に基づいて、骨の像から推定される骨塩量を示す値を算出する。
【００６１】
このように本発明に係るＸ線撮影装置１１においては、サブトラクション画像ｓに基づいて骨塩定量を実行している。このようにして行われる骨塩定量は、単純なスポット撮影で得られる画像に基づく定量よりもより正確となる。サブトラクション画像ｓは、被検体Ｍの骨が強調されたような画像だからである。サブトラクション画像ｓに基づいて骨塩定量を行えば、被検体Ｍの体厚など体格の差に影響されず正確な定量ができる。
【００６２】
操作卓２６（図９参照）は、術者によるサブトラクション画像撮影開始などの指示を入力させる目的で設けられている。また、主制御部２７は、各制御部を統括的に制御する目的で設けられている。この主制御部２７は、ＣＰＵによって構成され、各種のプログラムを実行することによりＸ線管制御部１６および各部２１，２２を実現している。また、上述の各部は、それらを担当する演算装置に分割されて実行されてもよい。記憶部２９は、Ｘ線管制御部１６が参照するＸ線照射条件などのような装置制御に関するパラメータの一切を記憶する。表示部２８は、骨塩定量の結果を表示する目的で設けられている。
【００６３】
このようなＸ線撮影装置における被検体の骨塩定量を行うには、まず、天板１２に被検体を載置する。天板１２には、予め本発明に係る被検体固定具１が載置されている。この時被検体固定具１は、ｘ方向が体側方向Ｓに一致しｙ方向が体軸方向Ａに一致しｚ方向が鉛直方向に一致する方向で天板１２に載置される。このときの被検体固定具１は、固定部材４ａが基板２ａの上側になる方向で天板１２に載置されており、そのときの基板２ａは、天板１２に面している。そして、基板２ａと天板１２とは互いに平行となっている。これから骨塩定量しようとする方の片足の足部は、この被検体固定具１に固定される。図８は、被検体固定具１が足部を固定する様子を示している。
【００６４】
術者がＸ線管１３およびＦＰＤ１４を検査対象となっている方の股関節まで移動させ、操作卓２６を通じて透視の開始の指示を行うと、Ｘ線管１３は、検査対象の股関節に向けて低線量なＸ線の照射を開始し、表示部２８には股関節を写し込んだライブ像が表示される。このライブ像は、現在の股関節の透視像を写し込んだ動画となっている。このライブ像は、骨塩定量に係るサブトラクション画像の撮影の視野を事前に確認する目的で撮影されるものである。
【００６５】
術者がＸ線管１３およびＦＰＤ１４を被検体Ｍに対して移動させると、ライブ像に写り込む被検体像が移動していく。このようにすることで、術者は、骨塩定量に係る大腿骨の骨頭が撮影視野の中心付近にくるように位置の調節をすることができる。
【００６６】
術者が操作卓２６を通じライブ像の撮影を中止させた後、天板１２上の被検体固定具１における持ち手５を手掛かりに固定部材４ａを基板２ａに対して傾斜させると、固定部材４ａに固定された被検体の足部もそれに追従して傾斜する。すると、被検体の足部は天板１２に対して傾斜することになる。固定部材４ａを傾斜させても、基板２ａと天板１２とは平行な状態が維持されているからである。被検体の足部が傾斜すると、被検体の大腿骨も被検体の体軸方向に伸びた軸を中心に自転するように回転する。
【００６７】
このとき術者は、被検体Ｍの膝を触ることにより被検体の足が回転していく様子を知ることができる。術者は、被検体Ｍの膝が鉛直上向きに向くように固定部材４ａの傾斜角度を調整することができる。被検体Ｍの個体差にもよるが、最も適している固定部材４ａの傾斜角度はこのときの角度である時が多い。術者がこの時点で固定部材４ａの回転を中止したとする。すると、固定部材４ａを支持するヒンジ３はトルクヒンジとなっているので、術者が持ち手５から手を放しても、固定部材４ａの傾斜角度は変化しない。
【００６８】
術者が操作卓２６を通じて骨塩定量に係るＸ線撮影の指示を与えると、ライブ像よりも強い線量でサブトラクション画像ｓの撮影が行われる。このサブトラクション画像ｓには、図１０に示すように骨塩定量に適した方向から大腿骨を撮影したものとなっている。サブトラクション画像ｓを画像解析して得られた骨塩量を示す評価値が表示部２８に表示されて、被検体の骨塩定量は終了となる。
【００６９】
以上のように、本発明の構成によれば、個体差を有している被検体ごとに最適な撮影をすることができる。すなわち、本発明の被検体固定具は、被検体の足部に固定される固定部材４ａと放射線撮影装置の天板に面する基板２ａとがトルクヒンジにより一体化されている。このような構成とすることにより、術者は被検体の足部の傾斜角度を自由に変更することができるとともに、被検体の足部の傾斜を所定の角度にした状態を維持することができる。したがって、本発明の被検体固定具によれば、被検体ごとに最適な足部の傾斜角度を維持した状態で放射線撮影を実行することができる。
【００７０】
また、本発明に係る被検体固定具１には、固定部材４ａの傾斜角度を示す角度計が設けられている。この角度計で固定部材４ａの傾斜角度を読み取ることにより、術者は、後日、固定部材４ａを同じ傾斜角度にして骨塩定量の再検査をすることができる。骨塩定量は同じ被検体に対して例えば４か月ごとに行われる。医師は骨塩量の推移を知ることにより、骨粗鬆症などの病気の進行を診断することができる。本発明の被検体固定具１によれば、被検体の足部を所定の傾斜角度に傾斜させた状態にできるので、被検体の大腿骨を常に同じ方向から撮影することが可能となる。これにより、骨塩定量の比較をより正確なものとすることができる。
【００７１】
上述の被検体固定具は、被検体の足部を固定部材４ａに固定する固定ベルト１０が収縮性となっている。このようにすれば、被検体の足部を確実に固定できるばかりでなく、固定ベルト１０の押さえつけにより過度な圧力が足部にかかることがない。したがって、本発明の被検体固定具を使用しても被検体の足部が痛くならない。
【００７２】
上述の被検体固定具は、固定部材４ａにおける被検体の足部側の面には、クッション性を有する部材が設けられている。これにより、被検体の足部が硬い固定部材４ａに直接当たって足部に痛みを生じさせることがない。また、上述の被検体固定具は、基板２ａにおける足部を支持する部分には、クッション性を有する部材が設けられている。これにより、被検体の足部が硬い基板２ａに直接当たって足部に痛みを生じさせることがない。
【００７３】
上述の被検体固定具は、固定部材４ａを基板２ａに対して平行となるまで傾斜されることができる。これにより、被検体固定具１をコンパクトにして収納することができる。
【００７４】
上述の被検体固定具は、固定部材４ａに持ち手５が設けられている。こにより、より固定部材４ａを回転させやすくなる。また、この持ち手５は、被検体固定具を搬送するときにも利用できる。
【００７５】
上述の被検体固定具のヒンジ３は基板２ａの端部を避けて設けられている。すると、足部を固定部材４ａに固定させたとき、基板２ａは被検体の足部側に張り出す。しかも、この張り出した部分は足部の下敷きとなり足部の下側を支持する。したがって、放射線撮影装置の天板に置かれた被検体固定具は、足部の重みにより天板に押し付けられる。これにより、被検体固定具は、天板に対してしっかりと載置され、天板に対して被検体固定具が移動してしまうことが防止される。
【００７６】
上述の被検体固定具は、天板に当接して摩擦を発生させるストッパ２ｄが基板２ａに設けられている。これにより被検体固定具が検査中に天板上ですり動いてしまうことを防ぐことができ、より確実に目的の撮影を行うことができるようになる。
【００７７】
本発明は上述の構成に限られず下記のように変形実施することができる。
【００７８】
（１）実施例１の被検体固定具は、骨塩定量用であったが、本発明はこの構成に限られない。本発明は骨塩定量用以外の撮影にも使用することができる。
【００７９】
（２）実施例１で説明した付属品１ないし付属品４は、必ずしも被検体固定具に備えられる必要はない。必要に応じて付属品を適宜省略することもできる。
【００８０】
（３）実施例１における角度計は、分度器２ｃと目印４ｃとで構成されていたが、これをセンサで構成することもできる。センサは、基板２ａに対する固定部材４ａの傾斜角度を示す信号を出力する。Ｘ線撮影装置１１は、この信号を受信することで、骨塩定量に係るサブトラクション画像ｓおよび骨塩定量の評価値に傾斜角度に関する情報を付加して記憶部２９に記憶させるようにしてもよい。このように傾斜角度の情報を残しておけば、術者が図３で説明したような分度器２ｃと目印４ｃで角度を読み取ってこれを記録する必要性がなくなる。
【００８１】
（４）実施例１における固定部材４ａは、板状であったが、本発明の構成はこれに限られない。固定部材４ａを棒状としてもよい。
【符号の説明】
【００８２】
２ａ   基板
２ｄ   ストッパ
３     ヒンジ
４ａ   固定部材
５     持ち手
１０   固定ベルト
【図１】
2016059565.tif 000003
【図２】
2016059565.tif 000004
【図３】
2016059565.tif 000005
【図４】
2016059565.tif 000006
【図５】
2016059565.tif 000007
【図６】
2016059565.tif 000008
【図７】
2016059565.tif 000009
【図８】
2016059565.tif 000010
【図９】
2016059565.tif 000011
【図１０】
2016059565.tif 000012
【図１１】
2016059565.tif 000013